(57)【要約】      （修正有）【課題】送信側コイルを有する送信側モジュール及び送信側コイルを有するワイヤレス充電装置、それに用いる送信側コイルを提供する。【解決手段】ワイヤレス充電装置の送信側モジュールにおいて、送信側コイル３２２は、その巻線部３２２３が中空部３２２３４を有するほぼ楕円形状を呈し、巻線部の外側長軸距離Ｄｏｌ２は７８ｍｍ乃至８２ｍｍの間の範囲であり、巻線部の外側短軸距離Ｄｏｗ２は４４ｍｍ乃至４８ｍｍの間の範囲であり、巻線部の内側長軸距離Ｄｉｌ２は５４ｍｍ乃至５８ｍｍの間の範囲であり、巻線部の内側短軸距離Ｄｉｌ２は１９ｍｍ乃至２３ｍｍの間の範囲であり、巻線部３２２３のコイル巻き数は８乃至１２の間の範囲である。【選択図】図６
2020178110.tif 000002
【特許請求の範囲】
【請求項１】
ワイヤレス充電装置に応用される送信側コイルであって、
当該送信側コイルは、出力端子と、入力端子と、前記出力端子と前記入力端子との間に連結される巻線部と、を備え、前記出力端子及び前記入力端子は前記巻線部と駆動回路モジュールとを接続させるために用いられ、前記巻線部は螺旋状に巻かれると共に中空部を有するほぼ楕円形状に形成され、前記巻線部は下記関係式
７８ｍｍ≦Dol≦８２ｍｍ；
４４ｍｍ≦Dow≦４８ｍｍ；
５４ｍｍ≦Dil≦５８ｍｍ；
１９ｍｍ≦Diw≦２３ｍｍ；及び、
８≦Ｔ≦１２
を満たし、
式中Dol及びDowはそれぞれ前記巻線部の外側長軸距離及び外側短軸距離であり、Dil及びDiwはそれぞれ前記巻線部の内側長軸距離及び内側短軸距離であり、Ｔは前記巻線部のコイル巻き数である、送信側コイル。
【請求項２】
前記巻線部は単層の巻線部であることを特徴とする、請求項１に記載の送信側コイル。
【請求項３】
前記巻線部は最外端の巻きコイルと、最内端の巻きコイルと、前記最外端の巻きコイルと前記最内端の巻きコイルとの間に位置される複数の巻きコイルと、を備え、前記最外端の巻きコイル、前記最内端の巻きコイル、及び前記複数の巻きコイルのうちの隣接する何れか２つは互いに緊密に設置されることを特徴とする、請求項１に記載の送信側コイル。
【請求項４】
Dol＝８０ｍｍであり、Dow＝４６ｍｍであり、Dil＝５６ｍｍであり、Diw＝２１ｍｍであり、Ｔ＝１０であることを特徴とする、請求項１に記載の送信側コイル。
【請求項５】
ワイヤレス充電装置の送信側モジュールであって、当該送信側モジュールは、
防磁シールドと、
送信側コイルであって、該送信側コイルは少なくとも部分的に前記防磁シールドに設置され、出力端子と、入力端子と、前記出力端子と前記入力端子との間に連結される巻線部と、を含み、前記出力端子及び前記入力端子は前記巻線部と駆動回路モジュールとを接続させるために用いられ、前記巻線部は螺旋状に巻かれると共に中空部を有するほぼ楕円形状に形成され、前記巻線部は下記関係式
７８ｍｍ≦Dol≦８２ｍｍ；
４４ｍｍ≦Dow≦４８ｍｍ；
５４ｍｍ≦Dil≦５８ｍｍ；
１９ｍｍ≦Diw≦２３ｍｍ；及び、
８≦Ｔ≦１２
を満たし、
式中、Dol及びDowはそれぞれ前記巻線部の外側長軸距離及び外側短軸距離であり、Dil及びDiwはそれぞれ前記巻線部の内側長軸距離及び内側短軸距離であり、Ｔは前記巻線部のコイル巻き数である、送信側コイルと、
を備える、送信側モジュール。
【請求項６】
前記巻線部は単層の巻線部であり、且つ最外端の巻きコイルと、最内端の巻きコイルと、前記最外端の巻きコイルと前記最内端の巻きコイルとの間に位置される複数の巻きコイルと、を備え、前記最外端の巻きコイル、前記最内端の巻きコイル、及び前記複数の巻きコイルのうちの隣接する何れか２つは互いに緊密に設置されることを特徴とする、請求項５に記載の送信側モジュール。
【請求項７】
Dol＝８０ｍｍであり、Dow＝４６ｍｍであり、Dil＝５６ｍｍであり、Diw＝２１ｍｍであり、Ｔ＝１０であることを特徴とする、請求項５に記載の送信側モジュール。
【請求項８】
前記防磁シールドは周縁に突起のない楕円形平板に近似する形状を呈し、前記送信側コイルは接着剤により前記防磁シールドに結合され、或いは、
前記防磁シールドは中間突起部及び周縁突起部を備え、前記中間突起部と前記周縁突起部との間には少なくとも前記送信側コイルを部分的に収容する収容空間が形成されることを特徴とする、請求項５に記載の送信側モジュール。
【請求項９】
ワイヤレス充電装置であって、当該ワイヤレス充電装置は、
駆動回路モジュールと、
送信側モジュールと、
を備え、
前記送信側モジュールは、
防磁シールドと、
少なくとも部分的に前記防磁シールドに設置される送信側コイルと、を含み、
前記送信側コイルは、出力端子と、入力端子と、前記出力端子と前記入力端子との間に連結される巻線部と、を含み、前記出力端子及び前記入力端子は前記巻線部と前記駆動回路モジュールとを接続させるために用いられ、前記巻線部は螺旋状に巻かれると共に中空部を有するほぼ楕円形状に形成され、前記巻線部は下記関係式
７８ｍｍ≦Dol≦８２ｍｍ；
４４ｍｍ≦ow≦４８ｍｍ；
５４ｍｍ≦Dil≦５８ｍｍ；
１９ｍｍ≦Diw≦２３ｍｍ；及び、
８≦Ｔ≦１２
を満たし、
式中、Dol及びDowはそれぞれ前記巻線部の外側長軸距離及び外側短軸距離であり、Dil及びDiwはそれぞれ前記巻線部の内側長軸距離及び内側短軸距離であり、Ｔは前記巻線部のコイル巻き数である、ワイヤレス充電装置。
【請求項１０】
前記巻線部は単層の巻線部であり、且つ最外端の巻きコイルと、最内端の巻きコイルと、前記最外端の巻きコイルと前記最内端の巻きコイルとの間に位置される複数の巻きコイルと、を備え、前記最外端の巻きコイル、前記最内端の巻きコイル、及び前記複数の巻きコイルのうちの隣接する何れか２つは互いに緊密に設置されることを特徴とする、請求項９に記載のワイヤレス充電装置。
【発明の詳細な説明】
【技術分野】
【０００１】
本発明は、充電装置に関し、より詳しくは、ワイヤレス充電技術を用いたワイヤレス充電装置に関する。
【背景技術】
【０００２】
従来の電子装置の大部分は電源コードを電源（例えば、コンセント）に挿し込むことにより作動に必要な電力を獲得している。しかしながら、科学技術の発展に伴って各種電子装置が消費者の需要に応じて軽量小型化しており、且つ、使用者が携帯しやすくするために大部分の電子装置には充電式電池が内設されており、電子装置が電源コードを使用せずとも電力を得られるようになっている。
【０００３】
電子装置内の電池の電量が足りない場合、使用者は充電装置を使用して電子装置内の充電式電池に対して充電を行う。従来の充電送電装置は接続コードを有し、使用者は従来の充電送電装置を商用電源に挿し込み、充電送電装置の接続コードを電子装置に挿し込んで商用電源の電力を電子装置に送電させることで充電式電池に対する充電を行う。
【発明の概要】
【発明が解決しようとする課題】
【０００４】
しかしながら、前述した従来の充電技術では、すなわち、充電送電装置の接続コードの長さには限界があり、充電送電装置が電子装置に対して充電を行っている最中は接続コードの制限のために使用者が自由に操作を行えず、電子装置を携帯して移動させることもできなかった。一方、長期間充電送電装置によって電子装置に対して充電を行った場合、が経常的に挿脱動作が行われることで充電送電装置の接続コードが損耗し、電気エネルギーの伝送効率が低下した。接続機器の損耗が深刻な場合、接続コードが電気エネルギーを送電不能になる。
【０００５】
このため、ワイヤレス充電（Wireless  Charging）を行うワイヤレス充電装置が普及拡大している。図１は従来のワイヤレス充電装置及び電子装置の構成を示す概略図である。従来のワイヤレス充電装置１は、筐体１０と、電源コード１１と、駆動回路モジュール１２と、送信側モジュール１３と、を備える。電源コード１１は筐体１０の外に露出され、商用電源（図示省略）に接続される。駆動回路モジュール１２及び送信側モジュール１３は共に筐体１０に内設され、且つ駆動回路モジュール１２は電源コード１１と送信側モジュール１３との間に電気的に接続される。商用電源から駆動回路モジュール１２に電力が供給されると、駆動回路モジュール１２は入力パワーにより駆動され、対応する電流量が送信側モジュール１３を介して電磁効果を発生させ、送信側モジュール１３が対応する磁束を発生させる。
【０００６】
さらに、従来の電子装置２は、筐体２０と、受信側モジュール２１と、充電式電池２２と、駆動回路モジュール２３と、を備える。受信側モジュール２１、充電式電池２２、及び駆動回路モジュール２３は全て筐体２０に内設され、駆動回路モジュール２３は充電式電池２２と受信側モジュール２１との間に電気的に接続される。受信側モジュール２１は送信側モジュール１３からの少なくとも部分的な磁束を受信するために用いられ、駆動回路モジュール２３は受信側モジュール２１が受信した磁束を対応する電流量に変換させ、且つ充電式電池２２に送電させて充電させる。
【０００７】
図２は図１に示す送信側モジュールの送信側コイルの構造を示す概略図である。図２は送信側モジュール１３の送信側コイル１３１の外観構造を示し、従来のＡ６送信側コイルを例にすると、出力端子１３１１と、入力端子１３１２と、出力端子１３１１と入力端子１３１２との間に接続される巻線部１３１３と、を備える。出力端子１３１１及び入力端子１３１２は巻線部１３１３と駆動回路モジュール１２とを接続させるために用いられ、巻線部１３１３は螺旋状に巻かれると共に中空部１３１４を有する楕円形状に形成される。巻線部１３１３の外側長軸距離Dol1及び外側短軸距離Dow1はそれぞれ５３．２ｍｍ及び４５．２ｍｍであり、巻線部１３１３の内側長軸距離Dil1及び内側短軸距離Diw1はそれぞれ２７．５ｍｍ及び１９．５ｍｍであり、巻線部１３１３のコイル巻き数は１２である。
【０００８】
図３は図２に示す三つの送信側コイルを使用すると共に、前記三つの送信側コイルがアレイ状に配置された際の電子装置が受信されるパワー（ワット）と充電距離（ｍｍ）との比較図である。図４は図２に示す三つの送信側コイルを使用すると共に、前記三つの送信側コイルがアレイ状に配置された際の電効率（％）と充電距離（ｍｍ）との比較図である。図３及び図４は電子装置２が最大１０ワットのパワーを受信する前提で実行する例を示し、且つ充電距離の起点は巻線部１３１３の中心箇所から起算し、充電効率は電子装置２が受信したパワーからワイヤレス充電装置１の出力パワーを除算して形成される比率である。図３及び図４から分かるように、図３に示すパワー（ワット）は充電距離に関わらず何れも５ワット以下であり、図４に示す充電効率（%）は各充電距離毎のパフォーマンスが均一ではなくムラがある。出願者は研究を重ね、幾多の実験を経て、送信側コイル１３１の形状、大きさ、及びコイル巻き数が各充電距離におけるパワーのパフォーマンス及び充電効率を高めるための重要な要素であることを発見した。
【０００９】
また、従来のワイヤレス充電標準規格（Qi）に適合するワイヤレス充電装置１には大きく２種類の形態がある。１つはワイヤレス充電装置１の送信側モジュール１２に単一の送信側コイル１３１が採用される形態である。その欠点は充電面積が小さく、且つ電子装置２を載置して充電する位置も厳格に決められる点である。２つ目はワイヤレス充電装置１の送信側モジュール１２に複数の個送信側コイル１３１が採用され、ワイヤレス充電装置１は電子装置２が載置される位置に対応するように１つ以上の送信側コイル１３１が設置される形態である。但し、これは体積が大きく、コストが高く、磁場の均等性が低いという欠点がある。また、このうちの２つ以上の送信側コイル１３１の少なくとも一部分が上下に重畳し、電磁誘導不能区域が発生した。なお、２つ目の形態のワイヤレス充電装置１に必要なソフトウェアやファームウェアは設計が複雑であるという欠点も存在した。
【００１０】
以上の説明から分かるように、従来のワイヤレス充電装置及びその送信側モジュール並びに送信側コイルには改善の余地があった。
【００１１】
本発明は、このような従来の問題に鑑みてなされたものである。本発明の第一の目的は、形状、大きさ、及びコイル巻き数が特定の範囲に収まる送信側コイルにより、磁場分布を均等にし、充電面積を広げる。
【００１２】
本発明の第二の目的は、上述した送信側コイルを有する送信側モジュールを提供する。
【００１３】
本発明の第三の目的は、前記送信側モジュールを有するワイヤレス充電装置を提供し、製造コストを抑制し、ワイヤレス充電装置を量産しやすくする。
【課題を解決するための手段】
【００１４】
本発明の好適例において、本発明のワイヤレス充電装置に応用される送信側コイルは、出力端子と、入力端子と、前記出力端子と前記入力端子との間に連結される巻線部と、を備える。前記出力端子及び前記入力端子は前記巻線部と駆動回路モジュールとを接続させるために用いられ、前記巻線部は螺旋状に巻かれると共に中空部を有するほぼ楕円形状に形成される。前記巻線部は下記関係式
７８ｍｍ≦Dol≦８２ｍｍ；
４４ｍｍ≦Dow≦４８ｍｍ；
５４ｍｍ≦Dil≦５８ｍｍ；
１９ｍｍ≦Diw≦２３ｍｍ；及び、
８≦Ｔ≦１２
を満たす。式中、Dol及びDowはそれぞれ前記巻線部の外側長軸距離及び外側短軸距離であり、Dil及びDiwはそれぞれ前記巻線部の内側長軸距離及び内側短軸距離であり、Ｔは前記巻線部のコイル巻き数である。
【００１５】
また、本発明の好適例において、本発明のワイヤレス充電装置の送信側モジュールは、
防磁シールドと、
送信側コイルであって、送信側コイルは少なくとも部分的に前記防磁シールドに設置され、出力端子と、入力端子と、前記出力端子と前記入力端子との間に連結される巻線部と、を含み、前記出力端子及び前記入力端子は前記巻線部と前記駆動回路モジュールとを接続させるために用いられ、前記巻線部は螺旋状に巻かれると共に中空部を有するほぼ楕円形状に形成され、前記巻線部は下記関係式
７８ｍｍ≦Dol≦８２ｍｍ；
４４ｍｍ≦Dow≦４８ｍｍ；
５４ｍｍ≦Dil≦５８ｍｍ；
１９ｍｍ≦Diw≦２３ｍｍ；及び、
８≦Ｔ≦１２；
を満たし、式中、Dol及びDowはそれぞれ前記巻線部の外側長軸距離及び外側短軸距離であり、Dil及びDiwはそれぞれ前記巻線部の内側長軸距離及び内側短軸距離であり、Ｔは前記巻線部のコイル巻き数である、送信側コイルと、を備える。
【００１６】
さらに、本発明の好適例において、本発明のワイヤレス充電装置は、
駆動回路モジュールと、
送信側モジュールと、を備え、
前記送信側モジュールは、
防磁シールドと、
少なくとも部分的に前記防磁シールドに設置される送信側コイルと、を更に含む。前記送信側コイルは、出力端子と、入力端子と、前記出力端子と前記入力端子との間に連結される巻線部と、を含む。前記出力端子及び前記入力端子は前記巻線部と前記駆動回路モジュールとを接続させるために用いられ、前記巻線部は螺旋状に巻かれると共に中空部を有するほぼ楕円形状に形成される。前記巻線部は下記関係式
７８ｍｍ≦Dol≦８２ｍｍ；
４４ｍｍ≦Dow≦４８ｍｍ；
５４ｍｍ≦Dil≦５８ｍｍ；
１９ｍｍ≦Diw≦２３ｍｍ；及び、
８≦Ｔ≦１２
を満たし、式中、Dol及び Dowはそれぞれ前記巻線部の外側長軸距離及び外側短軸距離であり、Dil及び Diwはそれぞれ前記巻線部の内側長軸距離及び内側短軸距離であり、Ｔは前記巻線部のコイル巻き数である。
【図面の簡単な説明】
【００１７】
【図１】従来のワイヤレス充電装置及び電子装置の構成を示す概略図である。
【図２】図１に示す送信側モジュールの送信側コイルの構造を示す概略図である。
【図３】図２に示す三つの送信側コイルを使用すると共に、前記三つの送信側コイルがアレイ状に配置された際の電子装置が受信されるパワー（ワット）と充電距離（ｍｍ）との比較図である。
【図４】図２に示す三つの送信側コイルを使用すると共に、前記三つの送信側コイルがアレイ状に配置された際の電効率（％）と充電距離（ｍｍ）との比較図である。
【図５】本発明の一実施形態に係るワイヤレス充電装置のシステムブロックを示す概略図である。
【図６】図５に示すワイヤレス充電装置の送信側モジュールを示す外観構成の上面図である。
【図７】図６に示す一つの送信側コイルを使用する際の受信側コイル付き電子装置が受信されるパワー（ワット）と充電距離（ｍｍ）とを示す比較の概略図である。
【図８】図６に示す一つの送信側コイルを使用する際の充電効率（％）と充電距離（mm）を示す比較の概略図である。
【図９】本発明の他の実施形態に係る送信側モジュールの防磁シールドをを示す外観構成の上面図である。
【図１０】図９に示す防磁シールドが断面線Ｘに対応する断面を示す概略図である。
【発明を実施するための形態】
【００１８】
以下、本開示の実施形態について図面を用いて説明する。なお、本開示は、下記の実施形態に何ら限定されることはなく、本開示の技術的範囲に属する限り種々の形態を採りうる。
【００１９】
図５は本発明の一実施形態に係るワイヤレス充電装置のシステムブロックを示す概略図である。図６は図５に示すワイヤレス充電装置の送信側モジュールを示す外観構成の上面図である。ワイヤレス充電装置３は駆動回路モジュール３１及び送信側モジュール３２を備え、駆動回路モジュール３１は電源（図示省略）と送信側モジュール３２との間に電気的に接続される。送信側モジュール３２は防磁シールド３２１及び少なくとも部分的に防磁シールド３２１に設置される送信側コイル３２２を含む。送信側コイル３２２は出力端子３２２１と、入力端子３２２２と、出力端子３２２１と入力端子３２２２との間に連結される巻線部３２２３と、を具備し、出力端子３２２１及び入力端子３２２２は巻線部３２２３と駆動回路モジュール３１とを電気的に接続させるために用いられる。これにより、電源が駆動回路モジュール３１に電力を供給すると、駆動回路モジュール３１が入力パワーにより駆動され、対応する電流量が送信側モジュール３２を介して電磁効果を発生させ、送信側コイル３２２が対応する磁束を発生させ、受信側コイルを有する電子装置（図示省略）に対する充電が行われる。
【００２０】
さらに、送信側コイル３２２はワイヤレス充電標準規格（Qi）に適合し、巻線部３２２３は螺旋状に巻かれると共に中空部３２２３４を有するほぼ楕円形状に形成される。これにより、巻線部３２２３が最外端の巻きコイル３２２３１と、最内端の巻きコイル３２２３２と、最外端の巻きコイル３２２３１と最内端の巻きコイル３２２３２との間に位置される複数の巻きコイル３２２３３と、を備える。ちなみに、本発明の巻線部３２２３は下記関係式
７８ｍｍ≦Dol≦８２ｍｍ；
４４ｍｍ≦Dow≦４８ｍｍ；
５４ｍｍ≦Dil≦５８ｍｍ；
１９ｍｍ≦Diw≦２３ｍｍ；及び
８≦Ｔ≦１２
を満たす。式中、Dol2及びDow2はそれぞれ巻線部の外側長軸距離及び外側短軸距離であり、Dil2及びDiw2はそれぞれ巻線部の内側長軸距離及び内側短軸距離であり、Ｔは巻線部のコイル巻き数である。
【００２１】
好ましくは、巻線部３２２３は単層の巻線部であり、最外端の巻きコイル３２２３１、最内端の巻きコイル３２２３２、及び複数の巻きコイル３２２３３のうちの隣接する何れか２つは互いに緊密に設置され、両者の間には隙間がないが、この限りではない。即ち、図６に示すように、巻線部３２２３は単層で螺旋状に緊密に配列される態様を呈する。好ましい一実施態様において、巻線部３２２３の外側長軸距離Dol2及び外側短軸距離Dow2はそれぞれ８０ｍｍ及び４６ｍｍであり、巻線部３２２３の内側長軸距離Dil2及び内側短軸距離Diw2はそれぞれ５６ｍｍ及び２１ｍｍであり、巻線部３２２３のコイル巻き数Ｔは１０である。
【００２２】
また、防磁シールド３２１は送信側コイル３２２が発生させる磁束が防磁シールド３２１の下方から漏れるのを防止するために用いられ、これにより防磁シールド３２１の下方の装置に対する好ましい遮蔽効果が得られる。さらには、ワイヤレス充電装置３が受信側コイルを有する電子装置（図示省略）に対して充電を行う際に透磁作用を提供し、送信側コイル３２２のインダクタンス及び容量を高める。好ましい本実施形態において、送信側コイル３２２は接着剤により防磁シールド３２１に結合され、防磁シールド３２１は周縁に突起のない楕円形平板に近似する形状を呈し、且つフェライト、アモルファスナノ結晶等の磁性材料で構成される。また、防磁シールド３２１の長軸距離Dmslは８３ｍｍ乃至８７ｍｍの間の範囲であり、防磁シールド３２１の短軸距離Dmswは４８ｍｍ乃至５２ｍｍの間の範囲であるが、但しこの限りではない。
【００２３】
図７は図６に示す一つの送信側コイルを使用する際の受信側コイル付き電子装置が受信されるパワー（ワット）と充電距離（ｍｍ）とを示す比較の概略図である。図８は図６に示す一つの送信側コイルを使用する際の充電効率（％）と充電距離（mm）を示す比較の概略図である。図７及び図８は、巻線部３２２３の外側長軸距離Dol2及び外側短軸距離Dow2がそれぞれ８０ｍｍ及び４６ｍｍであり、巻線部３２２３の内側長軸距離Dil2及び内側短軸距離Diw2がそれぞれ５６ｍｍ及び２１ｍｍであり、巻線部３２２３のコイル巻き数Ｔが１０であり、受信側コイルを有する電子装置が最大１０ワットのパワーを受信する前提で実行する例を示す。充電距離の起点は巻線部３２２３の中心箇所から起算し、充電効率は受信側コイルを有する電子装置が受信したパワーからワイヤレス充電装置３の入力パワーを除算して形成される比率である。
【００２４】
図７及び図８から分かるように、従来の送信側コイル１３１は（そのパフォーマンスは図３及び図４に示す）、図７に示すように、充電距離-３０ｍｍ乃至３０ｍｍにおいてパワー（ワット）の状況が大幅に改善し、且つ図８に示すように、各充電距離における充電効率（%）のパフォーマンスがより平均化している。全体的には、本発明のワイヤレス充電装置３は均一な磁場分布を有すると共に充電面積が広がる。このため、ワイヤレス充電装置３には単一の送信側コイル３２２を設置させるのみでよく、先行技術の説明で述べたような３つ以上のアレイ配列される送信側コイル１３１が不要であり、ワイヤレス充電装置３の製造コストが抑制され、ワイヤレス充電装置３の量産に有利になる。
【００２５】
当然ながら、以上は全て実施形態にすぎず、本技術に習熟する者ならば実際の需要に応じてあらゆる均等な設計変更が可能である。例えば、図９は本発明の他の実施形態に係る送信側モジュールの防磁シールドを示す外観構成の上面図である。図１０は図９に示す防磁シールドが断面線Ｘに対応する断面を示す概略図である。図９及び図１０に示すように、防磁シールド３２１’は図６に示すような周縁に突起のない円形平板に近似する形状に限られず、設計を変更し、防磁シールド３２１’が中間突起部３２１１及び周縁突起部３２１２を備え、中間突起部３２１１と周縁突起部３２１２との間に少なくとも送信側コイル３２２を部分的に収容するための収容空間３２１３が形成され、これにより好ましい定位効果を提供してもよい。
【００２６】
以上、本発明の実施形態について図面を参照して詳述したが、具体的な構成はこの実施形態に限られるものではなく、本発明の要旨を逸脱しない範囲の設計変更等も含まれる。
【符号の説明】
【００２７】
１  ワイヤレス充電装置
２  電子装置
３  ワイヤレス充電装置
１０  筐体
１１  電源コード
１２  駆動回路モジュール
１３  送信側モジュール
２０  筐体
２１  受信側モジュール
２２  充電式電池
２３  駆動回路モジュール
３１  駆動回路モジュール
３２  送信側モジュール
１３１  送信側コイル
３２１  防磁シールド
３２１’  防磁シールド
３２２  送信側コイル
１３１１  出力端子
１３１２  入力端子
１３１３  巻線部
１３１４  中空部
３２１１  中間突起部
３２１２  周縁突起部
３２１３  収容空間
３２２１  出力端子
３２２２  入力端子
３２２３  巻線部
３２２３１  最外端の巻きコイル
３２２３２  最内端の巻きコイル
３２２３３  巻きコイル
３２２３４  中空部
Dol1  巻線部の外側長軸距離
Dol2  巻線部の外側長軸距離
Dow1  巻線部の外側短軸距離
Dow2  巻線部の外側短軸距離
Dil1  巻線部の内側長軸距離
Dil2  巻線部の内側長軸距離
Diw1  巻線部の内側短軸距離
Diw2  巻線部の内側短軸距離
Dmsl  防磁シールドの長軸距離
Dmsw  防磁シールドの短軸距離
Ｔ  巻線部のコイル巻き数
Ｘ  断面線
【図１】
2020178110.tif 000003
【図２】
2020178110.tif 000004
【図３】
2020178110.tif 000005
【図４】
2020178110.tif 000006
【図５】
2020178110.tif 000007
【図６】
2020178110.tif 000008
【図７】
2020178110.tif 000009
【図８】
2020178110.tif 000010
【図９】
2020178110.tif 000011
【図１０】
2020178110.tif 000012
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
ワイヤレス充電装置に応用される送信側コイルであって、
当該送信側コイルは、出力端子と、入力端子と、前記出力端子と前記入力端子との間に連結される巻線部と、を備え、前記出力端子及び前記入力端子は前記巻線部と駆動回路モジュールとを接続させるために用いられ、前記巻線部は螺旋状に巻かれると共に中空部を有するほぼ楕円形状に形成され、前記巻線部は下記関係式
７８ｍｍ≦Dol≦８２ｍｍ；
４４ｍｍ≦Dow≦４８ｍｍ；
５４ｍｍ≦Dil≦５８ｍｍ；
１９ｍｍ≦Diw≦２３ｍｍ；及び、
８≦Ｔ≦１２
を満たし、
式中Dol及びDowはそれぞれ前記巻線部の外側長軸距離及び外側短軸距離であり、Dil及びDiwはそれぞれ前記巻線部の内側長軸距離及び内側短軸距離であり、Ｔは前記巻線部のコイル巻き数であり、
当該送信側コイルはワイヤレス充電標準規格（Ｑｉ）に適合する、送信側コイル。
【請求項２】
前記巻線部は単層の巻線部であることを特徴とする、請求項１に記載の送信側コイル。
【請求項３】
前記巻線部は最外端の巻きコイルと、最内端の巻きコイルと、前記最外端の巻きコイルと前記最内端の巻きコイルとの間に位置される複数の巻きコイルと、を備え、前記最外端の巻きコイル、前記最内端の巻きコイル、及び前記複数の巻きコイルのうちの隣接する何れか２つは互いに緊密に設置されることを特徴とする、請求項１に記載の送信側コイル。
【請求項４】
Dol＝８０ｍｍであり、Dow＝４６ｍｍであり、Dil＝５６ｍｍであり、Diw＝２１ｍｍであり、Ｔ＝１０であることを特徴とする、請求項１に記載の送信側コイル。
【請求項５】
ワイヤレス充電装置の送信側モジュールであって、当該送信側モジュールは、
防磁シールドと、
送信側コイルであって、該送信側コイルは少なくとも部分的に前記防磁シールドに設置され、出力端子と、入力端子と、前記出力端子と前記入力端子との間に連結される巻線部と、を含み、前記出力端子及び前記入力端子は前記巻線部と駆動回路モジュールとを接続させるために用いられ、前記巻線部は螺旋状に巻かれると共に中空部を有するほぼ楕円形状に形成され、前記巻線部は下記関係式
７８ｍｍ≦Dol≦８２ｍｍ；
４４ｍｍ≦Dow≦４８ｍｍ；
５４ｍｍ≦Dil≦５８ｍｍ；
１９ｍｍ≦Diw≦２３ｍｍ；及び、
８≦Ｔ≦１２
を満たし、
式中、Dol及びDowはそれぞれ前記巻線部の外側長軸距離及び外側短軸距離であり、Dil及びDiwはそれぞれ前記巻線部の内側長軸距離及び内側短軸距離であり、Ｔは前記巻線部のコイル巻き数であり、該送信側コイルはワイヤレス充電標準規格（Ｑｉ）に適合する、送信側コイルと、
を備える、送信側モジュール。
【請求項６】
前記巻線部は単層の巻線部であり、且つ最外端の巻きコイルと、最内端の巻きコイルと、前記最外端の巻きコイルと前記最内端の巻きコイルとの間に位置される複数の巻きコイルと、を備え、前記最外端の巻きコイル、前記最内端の巻きコイル、及び前記複数の巻きコイルのうちの隣接する何れか２つは互いに緊密に設置されることを特徴とする、請求項５に記載の送信側モジュール。
【請求項７】
Dol＝８０ｍｍであり、Dow＝４６ｍｍであり、Dil＝５６ｍｍであり、Diw＝２１ｍｍであり、Ｔ＝１０であることを特徴とする、請求項５に記載の送信側モジュール。
【請求項８】
前記防磁シールドは周縁に突起のない楕円形平板に近似する形状を呈し、前記送信側コイルは接着剤により前記防磁シールドに結合され、或いは、
前記防磁シールドは中間突起部及び周縁突起部を備え、前記中間突起部と前記周縁突起部との間には少なくとも前記送信側コイルを部分的に収容する収容空間が形成されることを特徴とする、請求項５に記載の送信側モジュール。
【請求項９】
ワイヤレス充電装置であって、当該ワイヤレス充電装置は、
駆動回路モジュールと、
送信側モジュールと、
を備え、
前記送信側モジュールは、
防磁シールドと、
少なくとも部分的に前記防磁シールドに設置される送信側コイルと、を含み、
前記送信側コイルは、出力端子と、入力端子と、前記出力端子と前記入力端子との間に連結される巻線部と、を含み、前記出力端子及び前記入力端子は前記巻線部と前記駆動回路モジュールとを接続させるために用いられ、前記巻線部は螺旋状に巻かれると共に中空部を有するほぼ楕円形状に形成され、前記巻線部は下記関係式
７８ｍｍ≦Dol≦８２ｍｍ；
４４ｍｍ≦ow≦４８ｍｍ；
５４ｍｍ≦Dil≦５８ｍｍ；
１９ｍｍ≦Diw≦２３ｍｍ；及び、
８≦Ｔ≦１２
を満たし、
式中、Dol及びDowはそれぞれ前記巻線部の外側長軸距離及び外側短軸距離であり、Dil及びDiwはそれぞれ前記巻線部の内側長軸距離及び内側短軸距離であり、Ｔは前記巻線部のコイル巻き数であり、
前記送信側コイルはワイヤレス充電標準規格（Ｑｉ）に適合する、ワイヤレス充電装置。
【請求項１０】
前記巻線部は単層の巻線部であり、且つ最外端の巻きコイルと、最内端の巻きコイルと、前記最外端の巻きコイルと前記最内端の巻きコイルとの間に位置される複数の巻きコイルと、を備え、前記最外端の巻きコイル、前記最内端の巻きコイル、及び前記複数の巻きコイルのうちの隣接する何れか２つは互いに緊密に設置されることを特徴とする、請求項９に記載のワイヤレス充電装置。